(57)【要約】【課題】新畦を能率良くしかも簡単に成形できるようにした土跳ね上げ具及びこれを使った畦成形装置を提供する。【解決手段】土跳ね上げ具Ａは、農業用機械Ｂに装着した作業用機械部Ｃに設けられた回転軸１０に嵌着固定される支持筒１と、支持筒１の外周面に周設される螺旋状の樋状部材２と、その始端部の土掬い部７と、終端部に設けられ樋状部材２内の泥土Ｍを外部へ飛ばす土跳ね部８と、からなり、この土跳ね部８には、前記泥土Ｍを回転軸１０の中心軸線方向に沿って飛ばす跳ね板９を設けてなる。また、畦成形装置Ｂは、前記土跳ね上げ具Ａと、土盛される元畦Ｚ１の外側に配置され前記飛ばされる泥土Ｍを受け止めて元畦Ｚ１の上面に落とす幕板部材１６と、泥土Ｍが盛られた元畦Ｚ１の上面ａと内側面ｂとを平坦に均す畦均し部材２４と、から構成される。【選択図】  図７
2004254657.tif 000002
【特許請求の範囲】
【請求項１】
耕耘機、トラクター等の農業用機械に装着される作業用機械部に設けられ耕作地面に対し平行に配置した回転軸に嵌着固定される支持筒と、前記支持筒の外周面に開放側が該支持筒の中心軸線方向を向いて周設される螺旋状の樋状部材と、前記樋状部材の始端部に設けられ泥土を掬う土掬い部と、前記樋状部材の終端部に設けられ該樋状部材の回転と共に該樋状部材内を終端部側へ移動した泥土を前記作業用機械部の外部へ飛ばす土跳ね部と、からなり、前記土跳ね部には、前記樋状部材の終端面を塞ぐように配置されかつ前記泥土を前記回転軸の中心軸線方向に沿って飛ばす跳ね板を設けたことを特徴とする土跳ね上げ具。
【請求項２】
耕耘機、トラクター等の農業用機械に装着される作業用機械部に設けられ耕作地面に対し平行に配置した回転軸に嵌着固定される支持筒と、前記支持筒の外周面に開放側が該支持筒の中心軸線方向を向いて周設される螺旋状の樋状部材と、前記樋状部材の始端部に設けられ泥土を掬う土掬い部と、前記樋状部材の終端部に設けられ該樋状部材の回転と共に該樋状部材内を終端部側へ移動した泥土を前記作業用機械部の外部へ飛ばす土跳ね部と、からなり、前記土跳ね部には、前記樋状部材の終端面を塞ぐように配置されかつ前記泥土を前記回転軸の中心軸線方向に沿って飛ばす跳ね板を設けた土跳ね上げ具と、
前記農業用機械の一側でありかつ前記土跳ね上げ具の終端部側と対向して土盛される元畦の外側に配置され、前記樋状部材の土跳ね部から飛ばされる泥土を受け止めて前記元畦の上面に落とすための幕板部材と、
前記農業用機械の一側に配置され、泥土が盛られた元畦の上面と内側面とを平坦に均す畦均し部材と、からなることを特徴とする畦成形装置。
【発明の詳細な説明】
【０００１】
【発明の属する技術分野】
本発明は、田の周囲を囲う畦が簡単かつ能率的に成形できるようにした土跳ね上げ具及びこれを使用した畦成形装置に関するものである。
【０００２】
【従来の技術】
従来、田の周囲を囲うようにして一段高く成形された畦は、一年間使用するとその間に何度となく踏まれて崩れたり、土竜などの小動物が穴をあけるなどして新しく田に流した水が漏れる危険があることから、去年の元畦を今年の新畦として作り替えるようにしている。このため、例えば農業用トラクターの後方に畦成形機を連結し、農業用トラクターで畦際を走行しながら、元畦の内側面と上面を掘削部にて掘削し、前記内側面の掘削土を、軸芯を水平かつ進行方向と直交させて回動自在に軸止した略円錐形状の内側面成形体の周面で転圧し、また、前記上面の掘削土を、上面成形体を上下方向に強制振動させて上面を付き固めることにより強度を高めるようにして新畦を成形している（例えば、特許文献１参照。）。
【０００３】
【特許文献１】
特開２０００−３２４９０２号公報  （第２−３頁、図１−図２）
【０００４】
【発明が解決しようとする課題】
しかしながら、前記畦成形機によれば、元畦の内側面と上面を掘削してそのまま固めているにすぎないことから、例えば、元畦の一部を修復したり元畦より新畦をやや高くなるように成形する場合は、鍬などを使用して元畦の上面に逐一泥土を盛ることになるが、この作業は非常に面倒であって重労働を強いられ、全体的な作業能率も悪いという課題がある。
【０００５】
そこで、本発明は上記課題を解決すべくなされたもので、重労働を強いられることなく泥土を盛ることができ、新畦を簡単にしかも能率良く成形できるようにした土跳ね上げ具及びこれを使った畦成形装置を提供することを目的とするものである。
【０００６】
【課題を解決するための手段】
かかる目的を達成するため、本発明に係る土跳ね上げ具は、耕耘機、トラクター等の農業用機械に装着される作業用機械部に設けられ耕作地面に対し平行に配置した回転軸に嵌着固定される支持筒と、前記支持筒の外周面に開放側が該支持筒の中心軸線方向を向いて周設される螺旋状の樋状部材と、前記樋状部材の始端部に設けられ泥土を掬う土掬い部と、前記樋状部材の終端部に設けられ該樋状部材の回転と共に該樋状部材内を終端部側へ移動した泥土を前記作業用機械部の外部へ飛ばす土跳ね部と、からなり、前記土跳ね部には、前記樋状部材の終端面を塞ぐように配置されかつ前記泥土を前記回転軸の中心軸線方向に沿って飛ばす跳ね板を設けて構成される。
【０００７】
また、前記土跳ね上げ具を使用した畦成形装置は、耕耘機、トラクター等の農業用機械に装着される作業用機械部に設けられ耕作地面に対し平行に配置した回転軸に嵌着固定される支持筒と、前記支持筒の外周面に開放側が該支持筒の中心軸線方向を向いて周設される螺旋状の樋状部材と、前記樋状部材の始端部に設けられ泥土を掬う土掬い部と、前記樋状部材の終端部に設けられ該樋状部材の回転と共に該樋状部材内を終端部側へ移動した泥土を前記作業用機械部の外部へ飛ばす土跳ね部と、からなり、前記土跳ね部には、前記樋状部材の終端面を塞ぐように配置されかつ前記泥土を前記回転軸の中心軸線方向に沿って飛ばす跳ね板を設けた土跳ね上げ具、及び前記農業用機械の一側でありかつ前記土跳ね上げ具の終端部側と対向して土盛される元畦の外側に垂れ幕状に配置され、前記樋状部材の土跳ね部から飛ばされる泥土を受け止めて前記元畦の上面に落とすための幕板部材、及び前記農業用機械の一側に配置され、泥土が盛られた元畦の上面と内側面とを平坦に均す畦均し部材、からなる。
【０００８】
そして、畦成形装置が装着された農業用機械を元畦に接近させると共に樋状部材の終端部である土跳ね部を元畦に向ける。そして、作業用機械部に配置された回転軸を所定の回転速度で回転させながら農業用機械をその元畦に沿って走行させる。これに伴い、前記樋状部材の土掬い部で掬われた泥土は、該樋状部材の回転と共に該樋状部材内を終端部側へ移動し土跳ね部により外部へ飛ばされる。この土跳ね部には跳ね板が設けられていることから、その跳ね板によって泥土が回転軸の中心軸線方向に沿って飛ばされ、元畦の内側面、更には上面といったほぼ同じ高さ位置に泥土が盛られる。この際、仮に、元畦の上方を越えるような泥土があるとしても、幕板部材に当たり下方へ落とされて元畦の上面に盛られる。このようにして、泥土を盛った後に、元畦の内側面と上面とを畦均し部材によって平坦状に均す。このようにして、内側面と上面とが整えられた新畦が重労働を強いられることなく簡単にしかも能率良く成形される。
【０００９】
【発明の実施の形態】
以下、本発明に係る土跳ね上げ具及びこれを使用した畦成形装置の実施の形態を図面と共に説明する。図１は、本発明に係る土跳ね上げ具の斜視図、図２は同分解斜視図、図３は同側面図、図４は図３のＸ−Ｘ線断面図である。土跳ね上げ具Ａは、金属製であって所定の内径を有する両端開放の支持筒１を備え、この支持筒１の外周面に開放側が該支持筒１の中心軸線方向を向くようにして螺旋状の樋状部材２が周設されている。この樋状部材２は、断面がほぼ半円形状をなし、支持筒１の外周面には一周のみ成形されている。
【００１０】
前記支持筒１は、該支持筒１が後記する回転軸１０の外周に嵌着固定され得る内径を有している。また、支持筒１は、その長手方向に沿って均等に二分割されており、これに伴い樋状部材２も前記分割面に沿って分割されている。前記支持筒１の各半割筒体１ａ，１ａの分割端面には、その両端部にそれぞれボルト挿通孔３を開設した取付片４が設けられる。そして、これら各半割筒体１ａ，１ａを重ね合わせ、対向する取付片４，４の各ボルト挿通孔３にボルト５を挿通してナット６を締めることにより、土跳ね上げ具Ａが一体に組み立てられるようになっている。この場合、各半割筒体１ａの樋状部材２も一体に連接されて連なる。
【００１１】
前記土跳ね上げ具Ａにおける樋状部材２の始端部はその端面が開放され、この始端部に底部を外側へ弧状に突出させて泥土が掬い易いように成形した土掬い部７が設けられる。また、前記樋状部材２の終端部に、該樋状部材２の回転と共に該樋状部材２内を終端部側へ移動した泥土を外部へ飛ばす土跳ね部８が設けられる。この土跳ね部８には、図５に示すように前記樋状部材２の終端面を塞ぐように配置され、前記泥土を前記回転軸１０のほぼ中心軸線方向に沿って飛ばす跳ね板９が設けられている。この跳ね板９は、土跳ね上げ具Ａを回転軸１０に嵌着固定したとき、該回転軸１０の中心軸線Ｏに対し所定の角度αをなす。この所定の角度αは、５〜３５度の範囲で選択される。これにより、樋状部材２の回転と共に該樋状部材２内を終端部側へ移動する泥土を終端部から前記回転軸１０の中心軸線Ｏ方向に沿ってほぼ同じ高さ位置に飛ばすことができるようになっている。よって、前記所定角度αを種々の角度に設定した土跳ね上げ具Ａを用意しておけば、畦の高さに応じ所望のものを選択して使用できる。
【００１２】
一方、図６に示すように農業用機械であるトラクターＴには、その後側に例えば田を耕すために使用される作業用機械部Ｃが装着される。この作業用機械部Ｃには、耕作地面Ｇと平行をなす回転軸１０が配置される。すなわち、トラクター本体１１の後部両側面から外側へ回動自在な駆動軸１２が突出され、この駆動軸１２の両端部に後方へ平行に延設される一対のアーム１３，１３がそれぞれ一体に固着される。駆動軸１２の回動動作と共に一対のアーム１３，１３が該駆動軸１２を中心として上下に自在に回動し、しかも、所定の高さ位置で停止できるようになっている。そして、両アーム１３，１３の先端部間に回転軸１０が横架される。この回転軸１０は、図示は省略する駆動源により多段階に設定された各所定の速度で回転でき、その外周面に、例えば田を耕すための刃（図示せず。）が取り付けられるようになっている。そのため、前記回転軸１０の外周面には、図４に示すようにその円周方向に沿って複数の刃取付部１４が等間隔に突設されている。
【００１３】
次に、畦成形装置Ｂについて説明する。この畦成形装置Ｂは前記土跳ね上げ具Ａと後記する幕板部材１６と畦均し部材２４とから構成される。土跳ね上げ具Ａについては既に説明したので、幕板部材１６と畦均し部材２４について説明する。
【００１４】
図７に示すように、前記作業用機械部Ｃの一側でありかつ土跳ね上げ具Ａの終端部側と同側に位置するアーム１３の外面に逆Ｌ字状のブラケット１５が固着される。このブラケット１５の先端部に前記土跳ね上げ具Ａの土跳ね部８と対向して垂れ幕状の幕板部材１６が設けられる。この幕板部材１６はゴム製であって比較的重量の有るものが選ばれ、同じく重量の有るものであれば合成樹脂板または鉄板などの金属板でも良い。前記アーム１３と幕板部材１６とは、一定の間隔を離して配置され、しかも、ほぼ平行を成す。そして、トラクターＴを元畦Ｚ１に沿って走行させるべく接近させたとき、幕板部材１６が元畦Ｚ１の外側を覆うように位置することとなる。これは、土跳ね上げ具Ａによって飛ばされてくる泥土Ｍの内、元畦Ｚ１を越えて飛んでしまう泥土Ｍをここで止めて元畦Ｚ１の上面に落とすためである。
【００１５】
トラクターＴの一側の外側であって土跳ね上げ具Ａの終端部側と同側に、軸１７によってほぼ中央がトラクター本体１１の一側に軸支される角筒部材１８と、軸１９によって一端が前記ブラケット１５の一側に軸支される丸筒部材２０と、からなる懸架部材２１が取着されている。丸筒部材２０は角筒部材１８より細径であって、しかも、これらは比較的湾曲し易い金属により成形されている。また、前記角筒部材１８の一端は開放されており、前記丸筒部材２０の他端がその開放端面から角筒部材１８内に摺動自在に挿通される。角筒部材１８の一端部には、その上面に貫通してその下端が内部に達する螺子式のハンドル２２が装着され、このハンドル２２を一方向へ回転すると、その先端が内部に入り込んで丸筒部材２０の外周面を押圧するようになっている。これにより、丸筒部材２０の他端側が角筒部材１８の内周面とハンドル２２先端とで挟着され、丸筒部材２０と角筒部材１８とが一体になる。
【００１６】
そして、前記角筒部材１８の一端側の下面に、側面Ｌ型の支持片２３が垂下され、外側へほぼ水平に伸びる水平板部２３ａの先端部に畦均し部材２４が一体に設けられる。これは、泥土が盛られた元畦Ｚ１の上面ａと内側面ｂとを平坦に均すためのものである。この畦均し部材２４は、トラクター本体１１を後面から見て前記アーム１３の外側であって幕板部材１６の内側に位置しており、また、同面から見て上面板２５と側面板２６とにより略上下逆Ｌ字状に設けられる。しかも、その上面板２５は、その下面２５ａがトラクターＴの後方へ進むに従い漸次下傾するようになっており、また、側面板２６は、前記下面２５ａと連なる外面２６ａがトラクターＴの後方へ進むに従い漸次外側へ迫出すようになっている。しかも、この側面板２６は鉛直面に対し約３０度外側へ傾いている。この畦均し部材２４の高さは、ハンドル２２を緩めた状態で、懸架部材２１を引き上げることにより自在に調節でき、トラクター本体１１の同側面に設けられた上下の掛止杆２７にそれぞれ掛止することにより、畦均し部材２４が後記土盛り作業をするとき邪魔にならないように、元畦Ｚ１から上方へ外れるようになっている。
【００１７】
図６、図９に示すように、前記角筒部材１８の他端側には二本の腕杆２８が垂下され、その下端に元畦Ｚ１の内側面を一部削り取るための切削板２９が設けられている。この切削板２９は、鉛直面に対し外側へほぼ３０度傾斜している。そして、前記畦均し部材２４を下の掛止杆２７（２７ｂ）に掛け止めたとき、切削板２９も元畦Ｚ１から上方へ外れるようになっている。一方、前記畦均し部材２４を上の掛止杆２７（２７ａ）に掛け止めたとき、軸１７を支点として角筒部材１８の他端側が下がり、これに伴い切削板２９が元畦Ｚ１に掛かって内側面の上部を一部斜めに切除できるようになっている。
【００１８】
通常、回転軸１０には田を耕す複数本の刃が取り付けられているが、新畦Ｚを成形する場合はその前にこれらを取り外す。そこで、回転軸１０の外周面から前記複数本の刃を取り外した状態で、二分割される土跳ね上げ具Ａを回転軸１０の一側、すなわち新畦Ｚを作る側、に寄せて配置し、これら半割体１ａ，１ａを互いに回転軸１０の外周面に嵌着する。この際、樋状部材２の土掬い部７は内側、土跳ね部８は外側に位置するようにする。そして、互いの対向する各ボルト挿通孔３にボルト５を挿通すると共にナット６を螺子締めして固定させる。これにより、図６、図７に示すように回転軸１０に土跳ね上げ具Ａが嵌着固定される。支持筒１の内周面は、ボルト５とナット６により締め付けられて各刃取付部１４の外周面に強く圧接することとなるので、土跳ね上げ具Ａは緩むようなことがなく、しっかりと固着される。
【００１９】
この状態で、一対のアーム１３，１３を回動させ回転軸１０を耕作地面Ｇから所定の間隔、すなわち土掬い部７で泥土が十分掬える間隔、に離して配置し、回転軸１０を所定の回転速度（例えば、４００〜５００ｒｐｍ）で回転させると、樋状部材２から飛ばされた泥土はほとんど一定の範囲内に収まり、ほぼ同じ高さ位置に飛ばすことができるようになっている。これは、諸々の条件、主に回転軸１０に対する跳ね板９の成す角度α、回転軸１０の回転速度、樋状部材２のピッチにより決定される。本発明の場合、土掬い部７で掬った泥土は順に樋状部材２内を土跳ね部８側へ移動し、土跳ね部８、すなわち跳ね板９が耕作地面Ｇより上方に出ているとき、前記泥土が跳ね板９にガイドされ該跳ね板９に沿って外側へ飛ばされ、元畦Ｚ１の上面ａまたは内側面ｂ上部といった一定の高さ範囲内に盛られるようにしている。これを満足すべく、前記跳ね板９の角度α、回転軸１０の回転速度及び樋状部材２のピッチが設定される。
【００２０】
本発明に係る土跳ね上げ具Ａ及びこれを使用した畦成形装置Ｂは上記構成からなり、次に新畦Ｚを作る方法について説明する。まず、ハンドル２２を緩めて畦均し部材２４を引き上げ、上の掛止杆２７ａに掛け止めると共にハンドル２２を再び締める。これにより、切削板２９の位置が下げられ元畦Ｚ１に掛かる高さに配置される。そして、図９に示すようにトラクターＴを元畦Ｚ１に接近させ、前進させながら切削板２９により元畦Ｚ１の内側面ｂの上部を斜めに切削する。また、この際、前記土跳ね上げ具Ａは回転が止められており、しかも、両アーム１３，１３を回動させて耕作地面Ｇより上方位置に配置される。
【００２１】
前記元畦Ｚ１の切削作業が終わればその状態でトラクターＴを停止させ、前記ハンドル２２を緩めて畦均し部材２４を一段引き下げ、下の掛止杆２７ｂに掛け止めると共にハンドル２２を再び締める。これにより、切削板２９の位置が上げられ畦均し部材２４共ども元畦Ｚ１に掛からなくなる。そして、両アーム１３，１３を回動させて土跳ね上げ具Ａを耕作地面Ｇまで下げ、同時に回転軸１０を駆動させ土跳ね上げ具Ａを回転させる。トラクターＴは前記とは逆にそのまま元畦Ｚ１に沿って後退させる。この場合、土跳ね上げ具ＡはトラクターＴの前進方向へ回転し、樋状部材２の始端部である土掬い部７は、泥土を掬うときトラクターＴの後側を向くようになっている。また、元畦Ｚ１の外側に幕板部材１６が配置される。
【００２２】
これにより、図７に示すように土掬い部７により掬われた泥土Ｍが、樋状部材２内を移動して最終的に土跳ね部８に達し、耕作地面Ｇより上方位置で跳ね板９によって飛ばされ、元畦Ｚ１の上面ａ、内側面ｂ上部または幕板部材１６の内面に当たってそのまま元畦Ｚ１の上面ａに落ちる。このような作業を行なうことにより、元畦Ｚ１に泥土Ｍがほぼ均等に盛られる。樋状部材２は、断面ほぼ半円弧状に成形され比較的深いことから、該樋状部材２内の泥土はそこから食み出ることなく該樋状部材２内に沿って終端部まで移動する。
【００２３】
このようにして元畦Ｚ１に泥土Ｍが盛られた後は、トラクターＴを停止させ、再びハンドル２２を緩めて畦均し部材２４を下の掛止杆２７ｂから外して下げ、畦均し部材２４の下面２５ａと外面２６ａが泥土Ｍの盛られた元畦Ｚ１の上面ａと内側面ｂにそれぞれ接するようにする。そして、ハンドル２２を再び締める。一方、切削板２９は上げられて元畦Ｚ１から外れる高さに配置される。この状態で、トラクターＴを再び前進させ元畦Ｚ１に沿って走行させる。これにより、図８に示すように畦均し部材２４が前記泥土Ｍが盛られた元畦Ｚ１の上面ａと側面ｂに宛がわれ、その上面板２５と側面板２６とにより元畦Ｚ１の上面ａと内側面ｂとがそれぞれ平坦面に仕上げられる。この際、畦均し部材２４の自重が加わり、しかも、上面板２５の下面２５ａがトラクターＴの後方へ進むに従い漸次下傾し、また、側面板２６の外面２６ａがトラクターＴの後方へ進むに従い漸次外側へ迫出すようになっているので、元畦Ｚ１の上面ａや内側面ｂは強い押圧力が加わって外側から絞られ、しっかりとした綺麗な平坦面に仕上げられる。
【００２４】
このように、本発明は土跳ね上げ具Ａを含め畦成形装置ＢをトラクターＴに装着し、トラクターＴを往復移動させるのみで、元畦Ｚ１へ泥土を盛る作業やその元畦Ｚ１の均し作業が自動的に行なえるので、作業が極めて能率的であって平坦な面を有する新畦Ｚの成形が簡単に行なえることになる。
【００２５】
本発明では、農業用機械としてトラクターＴについて説明したが、耕耘機など他の農業用機械についても適用できる。この耕耘機の場合は、作業用機械部の回転軸がその中央で支持され両側端部にトラクターのようなアームがないことから、支持筒が回転軸の一方側から差し込める構成になっている。このため、支持筒を半割に成形する必要がなく、単に回転軸側にキーを設けると共に支持筒側にキー溝を設け、これらを嵌合させることにより、土跳ね上げ具Ａが着脱自在に嵌着されかつしっかりと固定されるようになっている。この場合、前記支持筒の内径は回転軸の外径に合わせて適宜設定される。また、耕耘機の場合、土跳ね部を外側に位置させるようにして回転軸の左側に土跳ね上げ具が配置され、トラクターとは逆に耕耘機を前進させて土盛り作業が行なわれる。
【００２６】
【発明の効果】
以上説明したように、本発明に係る土跳ね上げ具は、樋状部材の終端部である土跳ね部を元畦に向け、回転軸を所定の回転速度で回転させながら農業用機械をその元畦に沿って走行させることにより、前記土掬い部で掬われた泥土を樋状部材の回転と共に該樋状部材内を終端部側へ移動させ、土跳ね部により外部へ飛ばすようにしているので、元畦への土盛り作業が自動的に行なえ、重労働を強いられることもなく能率良く作業が行なえる。また、土跳ね上げ具は、回転軸に着脱自在に嵌着されるので、田を耕す刃など他の工具との交換も可能であって、用途に応じた使い分けができ至便であるという効果が有る。
【００２７】
また、前記土跳ね上げ具を使用した畦成形装置にあっては、元畦に泥土を盛った後、農業用機械の走行に伴いその上面と内側面とを畦均し部材によって自動的に均すようにしているので、前記土盛り作業とも併せ簡単にしかも能率良く全体作業が行なえるという効果がある。
【図面の簡単な説明】
【図１】本発明に係る土跳ね上げ具の斜視図。
【図２】同分解斜視図。
【図３】同側面図。
【図４】図３におけるＸ−Ｘ線断面図。
【図５】樋状部材の土掬い部の拡大断面図。
【図６】本発明の畦成形装置を取り付けたトラクターの側面図。
【図７】土跳ね上げ具と幕板部材の使用状態を示す要部拡大図。
【図８】畦均し部材の使用状態を示す要部拡大図。
【図９】切削板の使用状態を示す要部拡大図。
【符号の説明】
１                支持筒
２                樋状部材
７                土掬い部
８                土跳ね部
９                跳ね板
１０              回転軸
１６              幕板部材
２４              畦均し部材
Ａ                土跳ね上げ具
Ｂ                畦成形装置
Ｃ                作業用機械部
Ｍ                泥土
Ｏ                中心軸線
Ｔ                農業用機械（トラクター）
【図１】
2004254657.tif 000003
【図２】
2004254657.tif 000004
【図３】
2004254657.tif 000005
【図４】
2004254657.tif 000006
【図５】
2004254657.tif 000007
【図６】
2004254657.tif 000008
【図７】
2004254657.tif 000009
【図８】
2004254657.tif 000010
【図９】
2004254657.tif 000011